(57)【要約】【課題】複数の色空間における表示特性の測定に要する時間を短縮する。【解決手段】画像調整装置３は、第１表示装置１の第１色空間において表示した第１の数の色に対応する第１測色値を取得し、かつ第１表示装置１の第２色空間において表示した第１の数よりも少ない第２の数の色に対応する第２測色値を取得する取得部３５１と、第１測色値及び第２測色値に基づいて、第１色空間と第２色空間との関係を示す関係情報を生成する関係情報生成部３５２と、第１測色値の少なくとも一部と関係情報とに基づいて、第１表示装置１の第２色空間において表示した色の測色値の推定値を算出する推定値算出部３５３と、を有する。【選択図】図５
2016092506.tif 000002
【特許請求の範囲】
【請求項１】
第１表示装置の第１色空間において表示した第１の数の色に対応する第１測色値を取得し、かつ前記第１表示装置の第２色空間において表示した前記第１の数よりも少ない第２の数の色に対応する第２測色値を取得する取得手段と、
前記第１測色値及び前記第２測色値に基づいて、前記第１色空間と前記第２色空間との関係を示す関係情報を生成する生成手段と、
前記第１測色値の少なくとも一部と前記関係情報とに基づいて、前記第１表示装置の前記第２色空間において表示した色の測色値の推定値を算出する推定値算出手段と、
を有することを特徴とする画像調整装置。
【請求項２】
前記取得手段は、前記第１測色値として、第１表示装置の第１色空間において表示した原色の測色値である原色値１１ａと混色の測色値である混色値１１ｂとを取得し、かつ前記第２測色値として、前記第１表示装置の第２色空間において表示した原色の測色値である原色値１２ａを取得し、
前記生成手段は、前記原色値１１ａ及び前記原色値１２ａに基づいて、前記第１色空間と前記第２色空間との関係を示す関係情報を生成し、
前記推定値算出手段は、前記混色値１１ｂ及び前記関係情報に基づいて、前記第１表示装置の前記第２色空間において表示した混色の推定値を算出することを特徴とする、
請求項１に記載の画像調整装置。
【請求項３】
前記取得手段は、前記第１表示装置と異なる第２表示装置に表示した原色の測色値である原色値２ａ、及び混色の測色値である混色値２ｂを更に取得し、
前記原色値２ａ及び前記混色値２ｂと、前記原色値１２ａ及び前記推定値とに基づいて、前記第２表示装置に表示される表示画像を補正するための補正値を算出する補正値算出手段と、
前記補正値に基づいて、前記第２表示装置に表示される前記表示画像を補正させる補正手段と、
を更に有することを特徴とする、
請求項２に記載の画像調整装置。
【請求項４】
前記生成手段は、前記原色値１１ａ及び前記原色値１２ａに基づいて、前記関係情報として、前記第２色空間を前記第１色空間に変換するためのマトリクス係数を算出することを特徴とする、
請求項２又は３に記載の画像調整装置。
【請求項５】
前記原色値１１ａ及び前記混色値１１ｂを記憶する記憶手段を更に有し、
前記生成手段は、前記記憶手段に記憶された前記原色値１１ａと、前記取得手段が取得した前記原色値１２ａとに基づいて前記関係情報を生成し、
前記推定値算出手段は、前記記憶手段に記憶された前記混色値１１ｂと、前記生成手段が生成した前記関係情報とに基づいて前記推定値を算出することを特徴とする、
請求項２から４のいずれか１項に記載の画像調整装置。
【請求項６】
前記記憶手段は、前記原色値１１ａ及び前記混色値１１ｂを取得したことを示す履歴情報を更に記憶し、
前記生成手段は、前記履歴情報が、前記原色値１１ａ及び前記混色値１１ｂを取得したことを示している場合に、前記記憶手段に記憶された前記原色値１１ａと、前記取得手段が取得した前記原色値１２ａとに基づいて前記関係情報を生成し、
前記推定値算出手段は、前記履歴情報が、前記混色値１１ｂを取得したことを示している場合に、前記記憶手段に記憶された前記混色値１１ｂと、前記生成手段が生成した前記関係情報とに基づいて前記推定値を算出することを特徴とする、
請求項５に記載の画像調整装置。
【請求項７】
前記第１表示装置の前記第２色空間に含まれる色のうち、前記第１表示装置の色域に含まれている色と前記第１表示装置の色域に含まれていない色とを特定する特定手段を更に有し、
前記推定値算出手段は、前記第１表示装置の前記第２色空間に含まれる色のうち、前記第１表示装置の色域に含まれている色の前記推定値を算出し、
前記取得手段は、前記第１表示装置の前記第２色空間に含まれる色のうち、前記第１表示装置の色域に含まれていない色の測色値を更に取得することを特徴とする、
請求項１から６のいずれか１項に記載の画像調整装置。
【請求項８】
前記第１表示装置の前記第２色空間に含まれる色のうち、前記第１表示装置の第１色空間に含まれている色と前記第１表示装置の第１色空間に含まれていない色とを特定する特定手段を更に有し、
前記推定値算出手段は、前記第１表示装置の前記第２色空間に含まれる色のうち、前記第１表示装置の第１色空間に含まれている色の前記推定値を算出し、
前記取得手段は、前記第１表示装置の前記第２色空間に含まれる色のうち、前記第１表示装置の第１色空間に含まれていない色の測色値を更に取得することを特徴とする、
請求項１から６のいずれか１項に記載の画像調整装置。
【請求項９】
前記取得手段は、前記第１表示装置の第１色空間において表示した白色の輝度及び黒色の輝度、並びに前記第１表示装置の第２色空間において表示した白色の輝度及び黒色の輝度を更に取得し、
前記生成手段は、前記第１色空間において表示した白色の輝度及び黒色の輝度、並びに前記第２色空間において表示した白色の輝度及び黒色の輝度に更に基づいて、前記関係情報を生成することを有することを特徴とする、
請求項１から８のいずれか１項に記載の画像調整装置。
【請求項１０】
第１表示装置の第１色空間において表示した第１の数の色に対応する第１測色値を取得し、かつ前記第１表示装置のキャリブレーション後に前記第１色空間において表示した前記第１の数よりも少ない第２の数の色に対応する測色値である第２測色値を取得する取得手段と、
前記第１測色値及び前記第２測色値に基づいて、キャリブレーション前の前記第１色空間とキャリブレーション後の前記第１色空間との関係を示す関係情報を生成する生成手段と、
前記第１測色値の少なくとも一部と前記関係情報とに基づいて、キャリブレーション後の前記第１表示装置の前記第１色空間において表示した混色の推定値を算出する推定値算出手段と、
を有することを特徴とする画像調整装置。
【請求項１１】
前記取得手段は、前記第１測色値として、第１表示装置の第１色空間において表示した原色の測色値である原色値１１ａと混色の測色値である混色値１１ｂとを取得し、かつ前記第２測色値として、前記第１表示装置のキャリブレーション後に前記第１色空間において表示した原色の測色値である更新原色値を取得し、
前記生成手段は、前記原色値１１ａ及び前記更新原色値に基づいて、キャリブレーション前の前記第１色空間とキャリブレーション後の前記第１色空間との関係を示す関係情報を生成し、
前記推定値算出手段は、前記混色値１１ｂ及び前記関係情報に基づいて、キャリブレーション後の前記第１表示装置の前記第１色空間において表示した混色の推定値を算出することを特徴とする、
請求項１０に記載の画像調整装置。
【請求項１２】
前記第１表示装置のキャリブレーション前に前記取得手段が取得した前記原色値１１ａ及び前記混色値１１ｂを記憶する記憶手段を更に有し、
前記生成手段は、前記記憶手段に記憶された前記原色値１１ａと、前記取得手段が取得した前記更新原色値とに基づいて、前記関係情報を生成し、
前記推定値算出手段は、前記記憶手段に記憶された前記混色値１１ｂと、前記生成手段が生成した前記関係情報に基づいて前記推定値を算出することを特徴とする、
請求項１１に記載の画像調整装置。
【請求項１３】
第１表示装置の第１色空間において表示した第１の数の色に対応する第１測色値を取得するステップと、
前記第１表示装置の第２色空間において表示した前記第１の数よりも少ない第２の数の色に対応する第２測色値を取得するステップと、
前記第１測色値及び前記第２測色値に基づいて、前記第１色空間と前記第２色空間との関係を示す関係情報を生成するステップと、
前記第１測色値の少なくとも一部と前記関係情報とに基づいて、前記第１表示装置の前記第２色空間において表示した色の測色値の推定値を算出するステップと、
を有することを特徴とする画像調整方法。
【請求項１４】
前記第１測色値を取得するステップにおいて、前記第１測色値として、第１表示装置の第１色空間において表示した原色の測色値である原色値１１ａと混色の測色値である混色値１１ｂとを取得し、
前記第２測色値を取得するステップにおいて、前記第２測色値として、前記第１表示装置の第２色空間において表示した原色の測色値である原色値１２ａを取得し、
前記関係情報を生成するステップにおいて、前記原色値１１ａ及び前記原色値１２ａに基づいて、前記第１色空間と前記第２色空間との関係を示す関係情報を生成し、
前記推定値を算出するステップにおいて、前記混色値１１ｂ及び前記関係情報に基づいて、前記第１表示装置の前記第２色空間において表示した混色の推定値を算出することを特徴とする、
請求項１３に記載の画像調整方法。
【請求項１５】
前記第１表示装置と異なる第２表示装置に表示した原色の測色値である原色値２ａ、及び混色の測色値である混色値２ｂを取得するステップと、
前記原色値２ａ及び前記混色値２ｂと、前記原色値１２ａ及び前記推定値とに基づいて、前記第２表示装置に表示される表示画像を補正するための補正値を算出するステップと、
前記補正値に基づいて、前記第２表示装置に表示される前記表示画像を補正するステップと、
を更に有することを特徴とする、
請求項１４に記載の画像調整方法。
【請求項１６】
前記原色値１１ａ及び前記混色値１１ｂを記憶手段に記憶させるステップを更に有し、
前記関係情報を生成するステップにおいて、前記記憶手段に記憶された前記原色値１１ａ及び前記混色値１１ｂに基づいて前記関係情報を生成し、
前記推定値を算出するステップにおいて、前記記憶手段に記憶された前記混色値１１ｂ及び前記関係情報に基づいて前記推定値を算出することを特徴とする、
請求項１４又は１５に記載の画像調整方法。
【請求項１７】
第１表示装置の第１色空間において表示した第１の数の色に対応する第１測色値を取得するステップと、
前記第１表示装置のキャリブレーション後に前記第１色空間において表示した前記第１の数よりも少ない第２の数の色に対応する測色値である第２測色値を取得するステップと、
前記第１測色値及び前記第２測色値に基づいて、キャリブレーション前の前記第１色空間とキャリブレーション後の前記第１色空間との関係を示す関係情報を生成するステップと、
前記第１測色値の少なくとも一部と前記関係情報とに基づいて、キャリブレーション後の前記第１表示装置の前記第１色空間において表示した混色の推定値を算出するステップと、
を有することを特徴とする画像調整方法。
【請求項１８】
コンピュータに、
第１表示装置の第１色空間において表示した第１の数の色に対応する第１測色値を取得するステップと、
前記第１表示装置の第２色空間において表示した前記第１の数よりも少ない第２の数の色に対応する第２測色値を取得するステップと、
前記第１測色値及び前記第２測色値に基づいて、前記第１色空間と前記第２色空間との関係を示す関係情報を生成するステップと、
前記第１測色値の少なくとも一部と前記関係情報とに基づいて、前記第１表示装置の前記第２色空間において表示した色の測色値の推定値を算出するステップと、
を実行させることを特徴とする画像調整用プログラム。
【請求項１９】
コンピュータに、
第１表示装置の第１色空間において表示した第１の数の色に対応する第１測色値を取得するステップと、
前記第１表示装置のキャリブレーション後に前記第１色空間において表示した前記第１の数よりも少ない第２の数の色に対応する測色値である第２測色値を取得するステップと、
前記第１測色値及び前記第２測色値に基づいて、キャリブレーション前の前記第１色空間とキャリブレーション後の前記第１色空間との関係を示す関係情報を生成するステップと、
前記第１測色値の少なくとも一部と前記関係情報とに基づいて、キャリブレーション後の前記第１表示装置の前記第１色空間において表示した混色の推定値を算出するステップと、
を実行させることを特徴とする画像調整用プログラム。
【発明の詳細な説明】
【技術分野】
【０００１】
本発明は、表示装置に表示する画像を調整するための画像調整装置、画像調整方法及び画像調整用プログラムに関するものである。
【背景技術】
【０００２】
映像制作においては、撮影工程、画像キャプチャ工程、色編集工程等の各工程において、ディスプレイやプロジェクタ等の多数の表示装置が用いられている。例えば、撮影作業時は、ディスプレイに撮像装置の画像を表示して色や階調などの確認が行われ、色編集作業時は、デジタルシネマプロジェクタに画像を表示して、色や階調などが調整される。撮影作業における色や階調の確認、及び色編集作業における色や階調の調整は、ＤＣＩ（Ｄｉｇｉｔａｌ  Ｃｉｎｅｍａ）及びＩＴＵ-Ｒ  ＢＴ．７０９等の複数の色空間において行われている。
【０００３】
撮影作業において用いられるディスプレイの表示特性と編集作業において用いられるデジタルシネマプロジェクタの表示特性とが同一であれば、撮影作業時と色編集作業時とで、同じ色で画像を確認することができる。そこで、映像制作で用いられる多数の表示装置の各々の色が一致するように、表示装置が表示する色を補正することが求められている。
【０００４】
特許文献１には、表示装置に表示する色の補正方法として、入力信号の色空間の補正と、表示装置のＬＣＤ等のパネル固有の色特性の補正とを、それぞれ独立のＬＵＴ（Ｌｏｏｋ  Ｕｐ  Ｔａｂｌｅ）を用いて実行する方法が記載されている。また、特許文献２には、複数の表示装置の表示特性をそれぞれ測定し、双方の色を一致させるカラーマッチング方法が開示されている。
【先行技術文献】
【特許文献】
【０００５】
【特許文献１】特開２０１１−２５４５２０号公報
【特許文献２】特開２００４−１５３３４０号公報
【発明の概要】
【発明が解決しようとする課題】
【０００６】
従来のカラーマッチング方法を用いて、映像制作の作業が行われる複数の色空間においてカラーマッチングを行って画像を調整する場合、それぞれの色空間において、多数の異なる色の画像を表示させた際の三刺激値を測定する必要があった。具体的には、複数の色空間においてカラーマッチングを行う場合、色空間毎に、カラーマッチングの対象となる表示装置に多数の異なる色の画像を表示させ、表示された画像に対応する三刺激値を測定することにより表示特性を取得する必要があった。例えば、１つの色空間において１２５種類の色の画像に対応する三刺激値を測定する場合、１つの色に対応する三刺激値の測定に１０秒を要すると、１つの色空間の表示特性の測定が完了するまでに１２５０秒を要していた。そこで、複数の色空間におけるカラーマッチングに要する時間を短縮するために、複数の色空間における表示特性の測定に要する時間を短縮することが求められていた。
【０００７】
そこで、本発明は上述した点に鑑みてなされたものであり、複数の色空間における表示特性の測定に要する時間を短縮することを目的とする。
【課題を解決するための手段】
【０００８】
上記の課題を解決するために、本発明の画像調整装置は、第１表示装置の第１色空間において表示した第１の数の色に対応する第１測色値を取得し、かつ前記第１表示装置の第２色空間において表示した前記第１の数よりも少ない第２の数の色に対応する第２測色値を取得する取得手段と、前記第１測色値及び前記第２測色値に基づいて、前記第１色空間と前記第２色空間との関係を示す関係情報を生成する生成手段と、前記第１測色値の少なくとも一部と前記関係情報とに基づいて、前記第１表示装置の前記第２色空間において表示した色の測色値の推定値を算出する推定値算出手段と、を有することを特徴とする。
【発明の効果】
【０００９】
本発明によれば、複数の色空間における表示特性の測定に要する時間を短縮することができるという効果を奏する。
【図面の簡単な説明】
【００１０】
【図１】第１の実施形態に係る画像調整システムＳの構成を示す図である。
【図２】画像データが第１表示装置１に入力されてから画像が表示されるまでの画像処理構成を示す図である。
【図３】画像データが第１表示装置１に入力されてから画像が表示されるまでの画像処理構成を示す図である。
【図４】階調データの一例を示す図である。
【図５】第１の実施形態に係る画像調整装置３の構成を示す図である。
【図６】入力信号と三刺激値との関係の一例を示す図である。
【図７】制御部３５が実行する画像調整装置３の動作フローチャートである。
【図８】第２の実施形態に係る画像調整装置３の構成を示す図である。
【図９】第２色空間が第１表示装置１の色域よりも広い色空間である場合の表示特性の一例を示す図である。
【図１０】第３の実施形態に係る画像調整装置３の構成を示す図である。
【図１１】第２色空間が第１色空間よりも広い場合の表示特性の一例を示す図である。
【発明を実施するための形態】
【００１１】
＜第１の実施形態＞
［画像調整システムＳの概要］
図１（ａ）は、第１の実施形態に係る画像調整システムＳの構成を示す図である。画像調整システムＳは、第１表示装置１と、第２表示装置２と、画像調整装置３と、測色装置４とを含んで構成されており、第１表示装置１と第２表示装置２との間のカラーマッチングを行うことができる。第１表示装置１及び第２表示装置２は、カラー画像を表示する装置である。例えば、第１表示装置１はプロジェクタであり、第２表示装置２はディスプレイである。本実施形態においては、第２表示装置２に補正テーブルを適用させることにより、複数の色空間を有する第１表示装置１に対して第２表示装置２をカラーマッチングさせる例について説明する。
【００１２】
第１表示装置１は、第１色空間としてのＤＣＩ、及び第２色空間としてのＩＴＵ−Ｒ  ＢＴ．７０９（以下、「７０９」という）に対応している。第２表示装置２は、ＤＣＩに対応している。なお、第１表示装置１及び第２表示装置２は、他の色空間に対応していてもよい。図１（ｂ）は、第１色空間と第２色空間との関係の一例を示す図である。図１（ｂ）は、ＸＹＺ表色系の三刺激値をＸＹ平面上に表示した図である。図１（ｂ）に示す例においては、第２色空間（７０９）の領域が、第１色空間（ＤＣＩ）の領域に含まれている。本実施形態においては、第１色空間でカラーマッチングを行い、次に、第２色空間でカラーマッチングを行う例について説明する。
【００１３】
画像調整装置３は、画像調整用プログラムを実行することができるコンピュータにより構成されている。画像調整装置３は、第１表示装置１及び第２表示装置２の画像を調整してカラーマッチングを行うために必要な補正用データを生成する。画像調整装置３は、複数の異なる階調及び異なる色の画像を含むパッチ画像を第１表示装置１及び第２表示装置２に表示させ、測色装置４を介して、第１表示装置１及び第２表示装置２に表示されたパッチ画像に基づいて第１表示装置１及び第２表示装置２の表示特性を取得する。表示特性は、例えば、刺激値直読法により測色されたＸ，Ｙ，Ｚの３つの値により構成されるＸＹＺ表色系の三刺激値により表される。画像調整装置３は、第１表示装置１の第１色空間における表示特性、第１表示装置１の第２色空間における表示特性、及び第２表示装置２の表示特性を用いて、第１表示装置１と第２表示装置２との間のカラーマッチングを行う。
【００１４】
図２は、画像データを含む入力信号が第１表示装置１に入力されてから、第１表示装置１に画像が表示されるまでの画像処理構成を示す図である。図２（ａ）は、入力信号が第１表示装置１に入力されてから画像が表示されるまでの基本的な画像処理構成を示す図である。第１表示装置１は、入力側ＬＵＴ２１と、出力側ＬＵＴ２２と、表示パネル２３とを有する。入力側ＬＵＴ２１は、入力信号の色空間変換を行うためのパラメータが設定されたテーブルである。出力側ＬＵＴ２２は、表示パネル２３に固有の特性をキャンセルするためのパラメータが設定されたテーブルである。
【００１５】
図２（ｂ）は、第１表示装置１の色空間設定が第１色空間である場合における、入力信号が入力されてから画像が表示されるまでの画像処理構成を示す図である。図２（ｂ）における入力側ＬＵＴ２１１は、図２（ａ）における入力側ＬＵＴ２１に対応しており、ＤＣＩの色空間を表示パネルの色空間に変換するパラメータが設定されたテーブルである。
【００１６】
図２（ｃ）は、第１表示装置１の色空間設定が第２色空間である場合における、入力信号が入力されてから画像が表示されるまでの画像処理構成を示す図である。図２（ｃ）における入力側ＬＵＴ２１２は、図２（ａ）における入力側ＬＵＴ２１に対応しており、７０９の色空間を表示パネルの色空間に変換するパラメータが設定されたテーブルである。
【００１７】
図３は、第１表示装置１が第１色空間及び第２色空間の両方に対応している場合における、第１表示装置１に入力信号が入力されてから画像が表示されるまでの画像処理構成を示す図である。この場合、図２（ｂ）に示した入力側ＬＵＴ２１１及び図２（ｃ）に示した入力側ＬＵＴ２１２に代えて、第１入力側ＬＵＴ２１３及び第２入力側ＬＵＴ２１４を有する構成に置き換えることができる。第１入力側ＬＵＴ２１３は、第２色空間を第１色空間に変換するパラメータが設定されたテーブルである。第２入力側ＬＵＴ２１４は、第１色空間を表示パネル２３の色空間に変換するパラメータが設定されたテーブルであり、実質的に、図２（ｂ）に示した入力側ＬＵＴ２１１と同等である。
【００１８】
図３に示されるように、第１表示装置１の色空間設定が第２色空間であり、第２色空間に対応する入力信号（７０９）が第１表示装置１に入力される場合は、図２（ｂ）に示した、第１表示装置１の色空間設定が第１色空間の場合の画像処理構成に、図３に示す第１入力側ＬＵＴ２１３の処理が追加される構成となる。よって、図３に示す第１入力側ＬＵＴ２１３のパラメータを算出すれば、第１色空間の表示特性に基づいて、第２色空間の表示特性を算出することができる。第１色空間の表示特性に基づいて、第２色空間の表示特性を算出する方法の詳細については、後述する。
【００１９】
図１に戻って、測色装置４について説明する。測色装置４は、第１表示装置１及び第２表示装置２の表示特性を測定する。具体的には、測色装置４は、人間の目の分光感度とほぼ同一の感度を有する３つのセンサを有しており、第１表示装置１及び第２表示装置２に表示されたパッチ画像が表示された状態で第１表示装置１及び第２表示装置２が出力する光の分光分布を測定する測色機能を有する。測色装置４は、例えば画像調整装置３の制御により測色を開始し、測色して得られた三刺激値を画像調整装置３に対して出力する。
【００２０】
以下、画像調整システムＳの動作の概要を説明する。
画像調整システムＳは、第１表示装置１及び第２表示装置２を用いて作業するユーザが、第１表示装置１に表示された画像と第２表示装置２に表示された画像とが同一色の画像であると認識できるように、第１表示装置１及び第２表示装置２に表示される画像を調整する。具体的には、画像調整システムＳは、まず、第１色空間に設定された第１表示装置１に対して、ＲＧＢのそれぞれの値が、０、６４、１２８、１９２、２５５のいずれかの値となる１２５個の階調値を与えた際の三刺激値を測定することにより、第１色空間における第１表示装置１の表示特性を測定する。
【００２１】
図４は、階調データの一例を示す図である。１２５個の階調値の中には、（Ｒ，Ｇ，Ｂ）＝（２５５，０，０）、（０，２５５，０）、（０，０，２５５）で表される原色と、その他の値の組み合わせにより表される混色とが含まれる。Ｒ、Ｇ、Ｂは、それぞれ０、６４、１２８、１９２、２５５のいずれかの値となり、階調データは、それぞれ異なる階調値を有する１２５個のデータにより構成されている。
【００２２】
続いて、画像調整システムＳは、第２色空間に設定された第１表示装置１にＲＧＢの３原色のデータ（２５５，０，０）、（０，２５５，０）、（０，０，２５５）を与えた際の三刺激値を測定することにより、第２色空間における第１表示装置１の原色に対する表示特性を測定する。画像調整システムＳは、第１色空間における第１表示装置１の原色及び混色に対する表示特性と、第２色空間における第１表示装置１の原色に対する表示特性とに基づいて、第１色空間と第２色空間との関係を示す関係情報としてのマトリクス係数を生成する。そして、画像調整システムＳは、マトリクス係数を用いて、第２色空間に設定された第１表示装置１に混色のデータを与えた際の三刺激値の推定値を算出することにより、第１表示装置１の第２色空間における表示特性を推定する。
【００２３】
画像調整システムＳは、このようにして、第１表示装置１の第２色空間における表示特性を推定することで、第２色空間において、多数の色を表示させて表示特性を測定する必要がなくなる。その結果、複数の色空間における表示特性を測定する時間を大幅に短縮することができる。
【００２４】
更に、画像調整システムＳは、上記の処理により得た、第１表示装置１の第２色空間における表示特性と、第２表示装置２の表示特性とに基づいて、第２表示装置２に表示する画像を補正する補正値を含む補正テーブルを作成する。画像調整システムＳは、補正テーブルを第２表示装置２に適用し、第２表示装置２が、補正テーブルに基づいて入力された画像データを補正してから表示することにより、第１表示装置１が第２色空間で表示した画像と第２表示装置２が表示した画像とが同じ色になるように、カラーマッチング処理を行う。上記のとおり、画像調整システムＳにおいては、第２色空間における表示特性の測定時間が短縮されるので、第１表示装置１と第２表示装置２との間のカラーマッチング処理に要する時間も短縮される。
以下、画像調整装置３の構成及び動作の詳細を説明する。
【００２５】
［画像調整装置３の構成］
図５は、画像調整装置３の構成を示す図である。画像調整装置３は、データ出力部３１と、記憶部３２と、画像生成部３３と、画像出力部３４と、制御部３５とを有する。
【００２６】
データ出力部３１は、制御部３５が生成したデータを第１表示装置１及び第２表示装置２に対して出力するためのインターフェイス部である。データ出力部３１は、例えばＵＳＢ（Universal Serial Bus）であり、制御部３５が生成した補正テーブルを第２表示装置２に出力する。
【００２７】
記憶部３２は、ＲＯＭ、ＲＡＭ、及びハードディスク等の記憶媒体であり、制御部３５が実行する画像調整用プログラム、及び制御部３５が生成するデータ等を記憶している。また、記憶部３２は、第１表示装置１及び第２表示装置２に表示させるパッチ画像を生成するために用いられるデータを記憶している。
【００２８】
画像生成部３３は、第１表示装置１及び第２表示装置２に表示させるパッチ画像を生成する。画像生成部３３は、例えば、ＲＧＢのそれぞれの値が、０、６４、１２８、１９２、２５５のいずれかの値となる、図４に示した１２５個の階調データを有するパッチ画像を生成する。
【００２９】
画像出力部３４は、画像生成部３３が生成したパッチ画像を第１表示装置１及び第２表示装置２に出力するためのインターフェイスである。画像出力部３４は、例えば、ＨＤＭＩ（登録商標）インターフェイスである。
【００３０】
制御部３５は、例えばＣＰＵにより構成されており、記憶部３２に記憶された画像調整用プログラムを実行することにより、画像調整装置３の各部を制御する。制御部３５は、取得部３５１、関係情報生成部３５２、推定値算出部３５３、補正値算出部３５４及び補正値出力部３５５として機能する。
【００３１】
取得部３５１は、第１表示装置１の第１色空間において表示された色に対応する第１の数の第１測色値として、原色の測色値である原色値１１ａと混色の測色値である混色値１１ｂとを、測色装置４から取得する。また、取得部３５１は、第１表示装置１の第２色空間において表示された色に対応する、第１の数よりも少ない第２の数の第２測色値として、原色の測色値である原色値１２ａを、測色装置４から取得する。
【００３２】
原色値１１ａは、第１色空間に設定された状態の第１表示装置１に、３原色のデータ（２５５，０，０）、（０，２５５，０）、（０，０，２５５）が入力された際に表示される画像を測色装置４が測定した三刺激値である。混色値１１ｂは、０、６４、１２８、１９２、２５５のいずれかの値となる１２５個の階調データのうち、３原色のデータ（２５５，０，０）、（０，２５５，０）、（０，０，２５５）以外の画像データが、第１色空間に設定された状態の第１表示装置１に入力された際に表示される画像を測色装置４が測定した三刺激値である。この場合、第１測色値の数である第１の数は、１２５個である。
【００３３】
原色値１２ａは、３原色のデータ（２５５，０，０）、（０，２５５，０）、（０，０，２５５）が、第２色空間に設定された状態の第１表示装置１に入力された際に表示される画像を、測色装置４が測定した三刺激値である。この場合、第２測色値の数である第２の数は、３個である。
なお、取得部３５１は、原色値１１ａ及び混色値１１ｂを分離して取得する必要はなく、原色値１１ａ及び混色値１１ｂが混在した測色値を取得した後に、原色値１１ａと混色値１１ｂとを分離してもよい。
【００３４】
また、取得部３５１は、第２表示装置２に表示した色に対応する測色値として、原色の測色値である原色値２ａ、及び混色の測色値である混色値２ｂを、測色装置４から更に取得する。原色値２ａは、３原色のデータ（２５５，０，０）、（０，２５５，０）、（０，０，２５５）が第２表示装置２に入力された際に表示される画像を測色装置４が測定した三刺激値である。また、混色値２ｂは、０、６４、１２８、１９２、２５５のいずれかの値となる１２５個の階調データのうち、３原色のデータ（２５５，０，０）、（０，２５５，０）、（０，０，２５５）以外の画像データを第２表示装置２に入力した際に表示される画像を測色装置４が測定した三刺激値である。なお、取得部３５１は、原色値２ａ及び混色値２ｂを分離して取得する必要はなく、原色値２ａ及び混色値２ｂが混在した測色値を取得した後に、原色値２ａと混色値２ｂとを分離してもよい。
【００３５】
関係情報生成部３５２は、第１測色値の一部である原色値１１ａ、及び第２測色値の一部である原色値１２ａに基づいて、第１色空間と第２色空間との関係を示す関係情報を生成する。関係情報は、例えば、第２色空間を第１色空間に変換する際のマトリクス係数である。マトリクス係数は、図３に示した第１入力側ＬＵＴ２１３に入力される入力信号（７０９）と第１入力側ＬＵＴ２１３から出力される信号との関係に対応する。
【００３６】
以下、関係情報生成部３５２におけるマトリクス係数の算出方法について説明する。
第２色空間の入力信号（７０９）が第１表示装置１に入力された際に表示された画像に基づく三刺激値は、以下の（式１）で表すことができる。
【数１】
2016092506.tif 000003
【００３７】
（式１）において、ＸＲ＿７０９、ＹＲ＿７０９、ＺＲ＿７０９は、入力信号（７０９）として、第１表示装置１に（２５５，０，０）を与えた場合の三刺激値である。ＸＧ＿７０９、ＹＧ＿７０９、ＺＧ＿７０９は、第１表示装置１に（０，２５５，０）を与えた場合の三刺激値である。ＸＢ＿７０９、ＹＢ＿７０９、ＺＢ＿７０９は、第１表示装置１に（０，０，２５５）を与えた場合の三刺激値である。
【００３８】
また、第１色空間の入力信号（ＤＣＩ）が第１表示装置１に入力された際に表示された画像に基づく三刺激値は、以下の（式２）で表すことができる。
【数２】
2016092506.tif 000004
【００３９】
（式２）において、ＸＲ＿ＤＣＩ、ＹＲ＿ＤＣＩ、ＺＲ＿ＤＣＩは、入力信号（ＤＣＩ）として、第１表示装置１に（２５５，０，０）を与えた場合の三刺激値である。ＸＧ＿ＤＣＩ、ＹＧ＿ＤＣＩ、ＺＧ＿ＤＣＩは、第１表示装置１に（０，２５５，０）を与えた場合の三刺激値である。ＸＢ＿ＤＣＩ、ＹＢ＿ＤＣＩ、ＺＢ＿ＤＣＩは、第１表示装置１に（０，０，２５５）を与えた場合の三刺激値である。
【００４０】
関係情報生成部３５２は、（式１）及び（式２）に基づいて、第２色空間を第１色空間に変換する際のマトリクス係数Ｍ＝Ｍ＿７０９×Ｍ＿ＤＣＩ−１を、以下の（式３）に示す関係を用いて算出する。
【数３】
2016092506.tif 000005
【００４１】
推定値算出部３５３は、取得部３５１が取得した第１測色値の一部である混色値１１ｂと、関係情報生成部３５２が生成した関係情報としてのマトリクス係数とに基づいて、第１表示装置１の第２色空間において表示した混色の推定値を算出する。具体的には、推定値算出部３５３は、まず、図３に示した第１入力側ＬＵＴ２１３に、第２色空間に設定された第１表示装置１に入力する１２５個の階調データ（以下、第１階調データという）を入力した場合に、第１入力側ＬＵＴ２１３から出力される１２５個の階調データ（以下、第２階調データという）を算出する。推定値算出部３５３は、（式３）に示したように、第１階調データにマトリクス係数を乗じることにより、第２階調データを算出することができる。
【００４２】
続いて、推定値算出部３５３は、第２階調データと、取得部３５１が取得した混色値１１ｂとに基づいて、第２色空間に設定された第１表示装置１に、混色に対応する階調データが入力された場合の三刺激値の推定値を算出する。具体的には、推定値算出部３５３は、第１階調データと混色値１１ｂとの関係に基づいて作成された入力信号と三刺激値との関係を示す表示特性を用いて、入力信号として第２の階調データが入力された場合の三刺激値を、推定値として算出する。推定値算出部３５３は、原色値１１ａ、混色値１１ｂ及びマトリクス係数に基づいて、原色及び混色の三刺激値の推定値を算出してもよい。
【００４３】
図６は、入力信号と三刺激値との関係の一例を示す図である。図６（ａ）は、入力信号に含まれる第１階調データが、（６４，０，０）、（１２８，０，０）、（１９２，０，０）、（２５５，０，０）である場合の三刺激値のＸ、Ｙ、Ｚの値をプロットした図である。図６（ａ）における○は、三刺激値のＸの値を示しており、□は、三刺激値のＹの値を示しており、△は、三刺激値のＺの値を示している。
【００４４】
図６（ｂ）は、図６（ａ）に示した三刺激値の間を補完した表示特性を示す図である。推定値算出部３５３は、図６（ｂ）に示す表示特性に基づいて、（６４，０，０）、（１２８，０，０）、（１９２，０，０）、（２５５，０，０）以外の第２階調データが第１表示装置１に入力された場合の三刺激値の推定値を算出する。例えば、（２３０，０，０）という第２階調データが第１表示装置１に入力された場合、推定値算出部３５３は、図６（ｂ）におけるＸ７０９、Ｙ７０９、Ｚ７０９として示した値の推定値を算出することができる。
【００４５】
図２に戻って、補正値算出部３５４について説明する。補正値算出部３５４は、第２表示装置２が表示した画像の測色値である原色値２ａ及び混色値２ｂと、第２色空間に設定された第１表示装置１が表示した画像の測色値である原色値１２ａ及び推定値とに基づいて、第２表示装置２に表示される表示画像を補正するための補正値を算出する。具体的には、補正値算出部３５４は、原色値１２ａを原色値２ａで除算することにより、原色用補正値を算出し、推定値を混色値２ｂで除算することにより、混色用補正値を算出する。補正値算出部３５４は、原色用補正値及び混色用補正値を含む補正テーブルを作成し、補正値出力部３５５へと出力する。
【００４６】
補正値出力部３５５は、補正値に基づいて、第２表示装置２に表示される表示画像を補正させる。具体的には、補正値出力部３５５は、データ出力部３１を介して、第２表示装置２に対して補正テーブルを出力し、第２表示装置２に入力される画像データを補正テーブル内の補正値に基づいて補正させる。第２表示装置２は、入力された画像データを表示する前に、画像データに補正値を乗算して表示画像データを生成することにより、第１表示装置１に表示される画像と同一の画像を表示することができる。
【００４７】
［画像調整装置３の動作フローチャート］
図７は、制御部３５が実行する画像調整装置３の動作フローチャートである。
まず、制御部３５は、第１表示装置１が第１色空間に設定された状態における原色値１１ａを取得する（ステップＳ１０１）。また、制御部３５は、第１表示装置１が第１色空間に設定された状態における混色値１１ｂを取得する（ステップＳ１０２）。続いて、制御部３５は、第１表示装置１が第２色空間に設定された状態における原色値２ａを取得する（ステップＳ１０３）。制御部３５は、ステップＳ１０２とステップＳ１０３との間において、第１表示装置１に色空間を切り替えるための制御データを送信してもよい。また、制御部３５は、第１表示装置１に色空間を切り替えるための制御データを送信したことに同期して測色装置４を制御して、第１表示装置１に表示された画像の三刺激値を測色装置４に測定させてもよい。
【００４８】
続いて、制御部３５は、原色値１１ａ及び原色値１２ａに基づいて、第１色空間と第２色空間との関係を示すマトリクス係数を算出する（ステップＳ１０４）。そして、制御部３５は、混色値１１ｂ及びマトリクス係数に基づいて、第１表示装置１の第２色空間上に表示した混色の推定値を算出することにより、第２色空間の表示特性を推定する（ステップＳ１０５）。
【００４９】
続いて、制御部３５は、原色値２ａ及び混色値２ｂと、原色値１２ａ及び推定値とに基づいて、補正テーブルを作成する（ステップＳ１０６）。制御部３５は、第２表示装置２に補正テーブルを適用することにより、第２表示装置２に、第１表示装置１と同じ画像を表示できるようにする（ステップＳ１０７）。
【００５０】
（変形例１）
以上の説明においては、画像生成部３３が生成するパッチ画像の階調数を１２５個とする例について説明したが、パッチ画像の階調数は１２５個に限定されるものではなく、他の任意の階調数であってもよい。例えば、画像調整装置３は、第２表示装置２に補正テーブルを適用した後に表示された画像の表示特性を示すデータとして混色値を取得し、取得した混色値と、ステップＳ１０５において推定した推定値との差が所定の閾値よりも大きい場合、画像生成部３３が生成するパッチ画像の階調数を増やして、測色装置４に再測定させてもよい。この場合、例えば、制御部３５は、測定して得られた複数の混色値と複数の推定値との差の平均値を画像生成部３３に通知する。そして、画像生成部３３は、通知された平均値に基づいて階調数を決定し、決定した階調数のパッチ画像を生成することができる。
【００５１】
（変形例２）
以上の説明においては、画像調整装置３が、第２測色値として、原色の測色値である原色値１２ａを使用する例について説明したが、第２測色値は原色値１２ａに限らない。画像調整装置３は、原色以外の３つの色に対応する測色値を第２測色値として用いてもよい。例えば、画像調整装置３は、（１２８，０，０）、（０，１２８，０）、（０，０，１２８）といった原色以外の色を第２測色値として用いることもできる。
【００５２】
（変形例３）
以上の説明においては、取得部３５１が三刺激値を取得し、関係情報生成部３５２が、取得部３５１が取得した三刺激値に基づいてマトリクス係数を生成する場合について説明した。取得部３５１は、第１表示装置１の第１色空間上に表示した白色の輝度及び黒色の輝度、並びに第１表示装置１の第２色空間上に表示した白色の輝度及び黒色の輝度を更に取得してもよい。また、関係情報生成部３５２は、第１色空間上に表示した白色の輝度及び黒色の輝度、並びに第２色空間上に表示した白色の輝度及び黒色の輝度に更に基づいて、関係情報を生成する。
【００５３】
具体的には、関係情報生成部３５２は、第１色空間上に表示した白色の輝度及び黒色の輝度、並びに第２色空間上に表示した白色の輝度及び黒色の輝度に基づいて、第２色空間を第１色空間に変換する際のゲイン及びオフセット値を算出する。関係情報生成部３５２は、算出したゲイン及びオフセット値を用いて、（式１）及び（式２）におけるＭ＿７０９及びＭ＿ＤＣＩを補正することにより、マトリクス係数の精度を向上させることができる。
【００５４】
［第１の実施形態における効果］
以上説明したように、本実施形態に係る画像調整装置３は、測色装置４において測定された原色値１１ａ及び原色値１２ａに基づいて、第１色空間と第２色空間との関係を示すマトリクス係数を算出する。そして、画像調整装置３は、測色装置４において測定された混色値１１ｂと、画像調整装置３が算出したマトリクス係数とに基づいて、第１表示装置１の第２色空間において表示される混色の推定値を算出する。このようにすることで、ユーザは、第２色空間に設定された第１表示装置１に、多数の色に対応する画像を表示させ、それぞれの色の三刺激値を測定する必要がなくなるので、第２色空間の表示特性の測定時間を短縮することができる。
【００５５】
例えば、１色の三刺激値の測定に１０秒を要する場合に、第１表示装置１を第２色空間に設定した状態で１２５個の階調データに対応する三刺激値を測定するには１２５０秒を要する。これに対して、本実施形態によれば、第１表示装置１を第２色空間に設定した状態で３原色の階調データに対応する三刺激値を測定すればよく、測定時間が３０秒に短縮される。
【００５６】
＜第２の実施形態＞
第１の実施形態においては、画像調整システムＳが、第１表示装置１の第１色空間における表示特性を測定し、測定した結果に基づいて、第２色空間に設定された第１表示装置１に混色を表示させた場合の三刺激値の推定値を算出する例について説明した。これに対して、第２の実施形態に係る画像調整システムＳは、予め測定された第１表示装置１の第１色空間における表示特性を記憶しておき、記憶された表示特性を用いて、第２色空間における三刺激値の推定値を算出することにより、更に調整時間を短縮できる点で、第１の実施形態に係る画像調整システムＳと異なる。
【００５７】
図８は、第２の実施形態に係る画像調整装置３の構成を示す図である。本実施形態に係る画像調整装置３は、表示特性記憶部３６を更に有する点で、図５に示した第１の実施形態に係る画像調整装置３と異なり、他の点で同じである。
【００５８】
表示特性記憶部３６は、メモリ又はハードディスク等の記憶媒体である。表示特性記憶部３６は、過去に測定された第１表示装置１の第１色空間における表示特性として、取得部３５１が取得した原色値１１ａ及び混色値１１ｂを記憶する。また、表示特性記憶部３６は、取得部３５１が過去に原色値１１ａ及び混色値１１ｂを取得したことを示す履歴情報を更に記憶する。
【００５９】
関係情報生成部３５２は、第２色空間の表示特性を測定する必要が生じた場合に、取得部３５１に記憶された履歴情報を参照し、過去に第１表示装置１の第１色空間の表示特性を取得しているか否かを判定する。関係情報生成部３５２は、履歴情報が、原色値１１ａを取得したことを示している場合に、記憶手段に記憶された原色値１１ａと、取得部３５１が取得した原色値１２ａとに基づいてマトリクス係数を生成する。
【００６０】
推定値算出部３５３は、表示特性記憶部３６に記憶された混色値１１ｂと、関係情報生成部３５２が生成したマトリクス係数とに基づいて、第２色空間に設定された第１表示装置１に混色のデータを与えた際の三刺激値の推定値を算出する。推定値算出部３５３は、履歴情報を参照し、履歴情報が、取得部３５１が過去に混色値１１ｂを取得したことを示していることを条件として、表示特性記憶部３６に記憶された混色値１１ｂと、関係情報生成部３５２が生成したマトリクス係数とに基づいて推定値を算出してもよい。
【００６１】
本実施形態は、第２色空間の表示特性を測定する場合だけでなく、第１表示装置１のキャリブレーションを行った後に、第１色空間の表示特性を再度測定する場合にも適用することができる。この場合、取得部３５１は、原色値１１ａ及び混色値１１ｂを取得すると、取得した原色値１１ａ及び混色値１１ｂを表示特性記憶部３６に記憶させる。また、取得部３５１は、キャリブレーション前に測定された原色値１１ａ及び混色値１１ｂを取得したことを示す履歴情報を表示特性記憶部３６に記憶させる。表示特性記憶部３６には、第１表示装置１のキャリブレーション前に取得部３５１が取得した原色値１１ａ及び混色値１１ｂが記憶された状態になる。
【００６２】
続いて、取得部３５１は、第１表示装置１のキャリブレーション後に測定された原色値（以下、「更新原色値」という）を取得する。関係情報生成部３５２は、表示特性記憶部３６に記憶された原色値１１ａと、取得部３５１が取得した更新原色値とに基づいて、キャリブレーション前の第１色空間とキャリブレーション後の第１色空間との関係を示す関係情報としてのマトリクス係数を生成する。推定値算出部３５３は、表示特性記憶部３６に記憶された混色値１１ｂと、関係情報生成部３５２が生成したマトリクス係数とに基づいて、キャリブレーション後の第１表示装置１の第１色空間において表示した混色の推定値を算出する。
【００６３】
［第２の実施形態における効果］
以上説明したように、本実施形態に係る画像調整装置３は、過去に測定された第１表示装置１の第１色空間における表示特性を記憶しておき、第２色空間における表示特性を測定する必要が生じた際に、記憶した第１色空間の表示特性を用いて、第２色空間における表示特性の推定値を算出することができる。このようにすることで、第２色空間における表示特性が必要になった場合に、第１色空間の表示特性を測定する必要がないので、測定時間を短縮することができる。
【００６４】
また、画像調整装置３が、第１表示装置１のキャリブレーション前に測定された第１表示装置１の第１色空間における表示特性を記憶しておくことにより、第１表示装置１をキャリブレーションした後に、第１色空間において混色を表示させて測色することなく、キャリブレーション後の第１色空間の表示特性を推定することができる。したがって、第１表示装置１のキャリブレーションを行った後の表示特性の測定時間を短縮することができる。
【００６５】
＜第３の実施形態＞
［第２色空間が第１表示装置１の色域よりも広い色空間である場合の処理］
第１の実施形態においては、第２色空間が第１表示装置１の色域よりも広い色空間である場合が考慮されていなかったのに対して、第３の実施形態に係る画像調整装置３は、第２色空間が第１表示装置１の色域よりも広い色空間である場合に対応する処理を行う点で、第１の実施形態に係る画像調整装置３と異なる。
【００６６】
図９は、第２色空間が第１表示装置１の色域よりも広い色空間である場合の表示特性の一例を示す図である。図９において、○を頂点とする三角形の斜線領域は、第１表示装置１の第２色空間を示しており、●を頂点とする三角形の領域は、第１表示装置１の色域を示している。このような場合、第１表示装置１は、図９に示すように、第１表示装置１の第２色空間の一部が第１表示装置１の色域に含まれない場合に、第１表示装置１の色域の外側に位置する色を、図９の太い破線で示す第１表示装置１の色域の外周にクリッピングする色変換処理を実行する。以下、このような場合に対応するための画像調整装置３の構成と動作について説明する。
【００６７】
図１０は、第３の実施形態に係る画像調整装置３の構成を示す図である。第３の実施形態に係る画像調整装置３は、特定部３７を更に有する点で、図５に示した第１の実施形態に係る画像調整装置３と異なり、他の点で同じである。特定部３７は、第１表示装置１の第２色空間に含まれる色のうち、第１表示装置１の色域に含まれている色と第１表示装置１の色域に含まれていない色とを特定する。具体的には、特定部３７は、取得部３５１を介して、第１色空間に設定された第１表示装置１に複数の画像データを入力した際に表示される複数の画像に対応する複数の三刺激値と、第２色空間に設定された第１表示装置１に３原色に対応する画像データを入力した際に表示される複数の画像に対応する複数の三刺激値とを取得する。
【００６８】
特定部３７は、第１色空間に対応する複数の三刺激値を結ぶことにより、図９の破線で示したクリッピング後の第１表示装置１の表示特性を特定する。また、特定部３７は、第２色空間における３原色に対応する三刺激値を結ぶことにより、図９の斜線で示した第２色空間の外周を特定する。特定部３７は、クリッピング後の第１表示装置１の表示特性と、第２色空間の外周とを比較することにより、第１表示装置１の第２色空間に含まれる色のうち、第１表示装置１の色域に含まれている色と第１表示装置１の色域に含まれていない色とを特定することができる。
【００６９】
推定値算出部３５３は、取得部３５１が取得した、第２色空間における３原色に対応する三刺激値である原色値１２ａを第２測色値として用いて、第１表示装置１の第２色空間に含まれる色のうち、第１表示装置１の色域に含まれている色に対応する三刺激値の推定値を算出する。また、取得部３５１は、第１表示装置１の第２色空間に含まれる色のうち、特定部３７により特定された、第１表示装置１の色域に含まれていない色に対応する三刺激値を測色値として更に取得する。このようにすることで、画像調整装置３は、第２色空間において測定するべき三刺激値を、３原色及び第１表示装置１の色域外の色の三刺激値に限定することができるので、全ての色に対応する三刺激値を測定する場合に比べて測定時間を短縮することができる。
【００７０】
［第２色空間が第１色空間よりも広い場合の処理］
また、画像調整装置３が特定部３７を有することにより、第２色空間が第１色空間よりも広い場合にも対応することができる。図１１は、第２色空間が第１色空間よりも広い場合の表示特性の一例を示す図である。図１１の例においては、第１色空間の領域が第２色空間の領域に含まれている。
【００７１】
特定部３７は、第１表示装置１の第２色空間に含まれる色のうち、第１表示装置１の第１色空間に含まれている色と第１表示装置１の第１色空間に含まれていない色（図１１における斜線領域の色）とを特定する。具体的には、特定部３７は、取得部３５１を介して、第１色空間に設定された第１表示装置１に３原色に対応する画像データを入力した際に表示される３つの画像に対応する三刺激値（図１１の内側の三角形の頂点に対応する三刺激値）と、第２色空間に設定された第１表示装置１に３原色に対応する画像データを入力した際に表示される３つの画像に対応する三刺激値（図１１の外側の三角形の頂点に対応する三刺激値）とを取得する。
【００７２】
特定部３７は、第１色空間に対応する３つの三刺激値、及び第２色空間に対応する３つの三刺激値を結ぶことにより、図１１に示した第１色空間の領域の外周と第２色空間の領域の外周とを特定する。特定部３７は、第１色空間の領域の外周と第２色空間の領域の外周とを比較することにより、第１表示装置１の第２色空間に含まれる色のうち、第１表示装置１の第１色空間に含まれている色と第１表示装置１の第１色空間に含まれていない色とを特定することができる。
【００７３】
推定値算出部３５３は、第２色空間の色のうち、第１色空間に含まれる少なくとも３つの色の三刺激値を第２測色値として用いて、第１表示装置１の第２色空間に含まれる色のうち、第１表示装置１の第１色空間に含まれている色に対応する三刺激値の推定値を算出する。また、取得部３５１は、第１表示装置１の第２色空間に含まれる色のうち、特定部３７により特定された、第１表示装置１の第１色空間に含まれていない色の三刺激値を測色値として更に取得する。このようにすることで、画像調整装置３は、第２色空間において測定するべき三刺激値を、第１色空間に含まれている少なくとも３つの色及び第１表示装置１の色域外の色に対応する三刺激値に限定することができるので、全ての色に対応する三刺激値を測定する場合に比べて測定時間を短縮することができる。
【００７４】
［第３の実施形態における効果］
以上説明したように、第３の実施形態に係る画像調整装置３は、特定部３７を有しており、第１表示装置１の第２色空間に含まれる色のうち、第１表示装置１の色域に含まれていない色を特定したり、第１表示装置１の第１色空間に含まれていない色を特定したりすることができる。したがって、推定値算出部３５３が推定値を算出することができない、第１表示装置１の色域に含まれていない色、又は第１表示装置１の第１色空間に含まれていない色については測色を行い、その他の色については、推定値算出部３５３が推定値を算出することにより、測定時間を短縮しつつ、第２色空間における表示特性を測定することができる。
【００７５】
以上、本発明を実施の形態を用いて説明したが、本発明の技術的範囲は上記実施の形態に記載の範囲には限定されず、その要旨の範囲内で種々の変形及び変更が可能である。
【符号の説明】
【００７６】
３  画像調整装置
３５１  取得部
３５２  関係情報生成部
３５３  推定値算出部
【図１】
2016092506.tif 000006
【図２】
2016092506.tif 000007
【図３】
2016092506.tif 000008
【図４】
2016092506.tif 000009
【図５】
2016092506.tif 000010
【図６】
2016092506.tif 000011
【図７】
2016092506.tif 000012
【図８】
2016092506.tif 000013
【図９】
2016092506.tif 000014
【図１０】
2016092506.tif 000015
【図１１】
2016092506.tif 000016